(57)【要約】【課題】現場において、その状況に応じて制御盤の位置を変更できるようにする。【解決手段】共通ベース１と、この共通ベース１上に配置された給水ポンプ２と、共通ベース１に配設された第１乃至第３の取付部１２〜１４と、取付部１２〜１４のいずれか一つに選択的に着脱自在に取り付けられ、給水ポンプ２の運転を制御する制御盤１０とを具備する。【選択図】      図１
2010163928.tif 000002
【特許請求の範囲】
【請求項１】
共通ベースと、
この共通ベース上に配置された給水ポンプと、
前記共通ベース上に複数配設された取付部と、
前記取付部のいずれか一つに選択的に着脱自在に取り付けられ、前記給水ポンプの運転を制御する制御手段と
を具備することを特徴とする給水装置。
【請求項２】
前記制御手段は、制御盤とこの制御盤を支持する架台とを有して構成されることを特徴とする請求項１記載の給水装置。
【請求項３】
前記取付部は、前記共通ベースに設けられたナットと、このナットにネジ込まれて前記制御盤の架台を締結するボルトとを有して構成されることを特徴とする請求項２記載の給水装置。
【請求項４】
前記取付部は、前記共通ベースに設けられたネジ部と、このネジ部にネジ込まれて前記制御盤の架台を締結するボルトとを有して構成されることを特徴とする請求項２記載の給水装置。
【請求項５】
前記給水ポンプは２台配置され、
前記制御手段は、前記各給水ポンプの始動、停止を制御して交互に並列運転することを特徴とする請求項１記載の給水装置。
【請求項６】
前記各給水ポンプの吐出側は合流部で合流され、
各給水ポンプの吐出側に流量検出部を設け、
前記合流部の二次側に圧力検出部を設け、
前記制御手段は、前記流量検出部及び前記圧力検出部の検出情報に基づいて前記各給水ポンプの始動、停止を制御することを特徴とする請求項５記載の給水装置。
【発明の詳細な説明】
【技術分野】
【０００１】
本発明は、給水装置に係わり、特にその制御盤の取付構造に関する。
【背景技術】
【０００２】
ビルやマンション等の加圧給水等に採用される給水装置においては、交互並列運転自動給水システム（若しくは交互運転直結増圧給水システム）が多く採用されている。
【０００３】
近年、この種の給水装置においては、さらなる現場施工性の改善が求められている。
【０００４】
この交互並列運転自動給水システム（若しくは交互運転直結増圧給水システム）において、その制御盤の位置は、工場出荷時に標準品として給水装置のベース上の所定位置に固定化されている。
【０００５】
ところで、給水装置の制御盤の位置は、給水装置が設置される現場の状況に応じて変更する必要が生じることがある。この場合には、バリエーション品として制御盤の位置を標準品とは異ならせた状態で出荷するようにしている（例えば、特許文献１参照。）。
【特許文献１】実開平３−７１１８３号公報
【発明の開示】
【発明が解決しようとする課題】
【０００６】
しかしながら、バリエーション品を出荷するためには、バリエーション品を在庫として抱えてしまうという問題があった。
【０００７】
また、バリエーション品は、ベースの大きさを変更したり、特別な付属品を装着したり、ベース上の装置を全て１８０度反対方向に組み替えたりして製造している。
【０００８】
このため、ベースの種類が複数種必要になり部品点数が増加し、また、特別な付属品を装着した場合にはコスト高になり、さらに、ベース上の装置を全て１８０度反対方向に組み替えた場合には、生産性が低下してしまうという問題があった。
【０００９】
本発明は上記事情に着目してなされたもので、その目的とするところは、現場において、制御手段の位置を変更可能とし、部品点数の削減、コストの低減、生産性の向上を実現できるようにした給水装置を提供することにある。
【課題を解決するための手段】
【００１０】
上記課題を解決するため、請求項１記載のものは、共通ベースと、この共通ベース上に配置された給水ポンプと、前記共通ベース上に複数配設された取付部と、前記取付部のいずれか一つに選択的に着脱自在に取り付けられ、前記給水ポンプの運転を制御する制御手段とを具備することを特徴とする。
【発明の効果】
【００１１】
本発明によれば、現場において、制御手段の位置を変更可能とし、部品点数の削減、コストの低減、生産性の向上を実現できる。
【発明を実施するための最良の形態】
【００１２】
以下、本発明の実施の形態を図面を参照して詳細に説明する。  
図１は本発明の一実施の形態である給水装置を示す平面図、図２はその正面図、図３はその側面図である。
【００１３】
図中１は鋼板製の共通ベースで、この共通ベース１上には平行に２台の給水ポンプ２が配設されている。これら給水ポンプ２はモータ３と、このモータ３によって回転駆動されるポンプ４とによって構成されている。ポンプ４の上部側にはそれぞれ吐出管５が接続され、これら吐出管５は合流部としての吐出ユニット部６で合流されている。吐出管５には流量検出部７、及び逆止弁９が配設され、吐出ユニット部６の二次側には、圧力検出部８と蓄圧部２３が配設されて水流経路が構成されている。
【００１４】
また、共通ベース１上には制御手段としての制御盤１０が設けられている。この制御盤１０は図５及び図６に示すように、その前面部に操作表示部１０ａを有し、鋼板製の架台１７によって支持されている。
【００１５】
上記した流量検出部７、及び圧力検出部８は図４に示すように信号回路を介して制御盤１０に接続され、制御盤１０には制御回路を介してモータ３が接続されている。これにより、交互並列運転自動給水システムが構成され、制御盤１０は流量検出部７及び圧力検出部８から送信される電気信号に基づいてモータ３の運転を制御してポンプ４の始動、停止を行なうようになっている。
【００１６】
ところで、上記した共通ベース１上の一側部側には第１の取付部１２、他側部側には第２の取付部１３、後部側には第３の取付部１４が配設されている。これら第１乃至第３の取付部１２〜１４は同形状に構成され、上記した制御盤１０はその架台１７を介して第１乃至第３の取付部１２〜１４の何れか一つに選択的に着脱自在に取り付けるようになっている。尚、図１〜図３では、制御盤１０は架台１７を介して第１の取付部１２に取り付けられている。
【００１７】
第１乃至第３の取付部１２〜１４は、それぞれ図７に示すように共通ベース１に溶接される複数個のナット１６を備えている。共通ベース１にはナット１６に連通する挿通孔１５が穿設されている。制御盤１０の架台１７の底面部には、共通ベース１の挿通孔１５に連通する挿通孔１８が穿設されている。制御盤１０の架台１７は、平座金２５及びばね座金２６を介してナット１６にねじ込まれるボルト２０によって共通ベース１に締結固定されている。
【００１８】
次に、制御盤１０の取付方法について説明する。
【００１９】
まず、制御盤１０の架台１７を共通ベース１上に載置してその挿通孔１８を共通ベース１の挿通孔１５に対向させる。こののち、架台１７の底面上にその挿通孔１８に対向する状態で平座金２５及びばね座金２６を重ね合わせて載置する。この載置後、ボルト２０を平座金２５及びばね座金２６さらに挿通孔１８に挿通させてナット１６にネジ込む。これにより、制御盤１０の架台１７が共通ベース１に締結固定されることになる。
【００２０】
ところで、製品の工場出荷時には、その制御盤１０は上記した第１乃至第３の取付部１２〜１４のいずれか一つ、例えば、第１の取付部１２に取り付けられた状態で出荷される。出荷された製品は、現場で設置されるが、このとき、制御盤１０の位置が現場の状況によっては変更を余儀なくされることがある。
【００２１】
このような場合には、制御盤１０を第１の取付部１２から取り外して第２或いは第３の取付部１３，１４に付け替える。即ち、制御盤１０の架台１７のボルト２０を外して制御盤１０を取り外したのち、第２或いは第３の取付部１３，１４上に制御盤１０の架台１７を載置する。そして、上記したと同様にして架台１７の底面上に平座金２５及びばね座金２６を重ね合わせて載置したのち、ボルト２０を平座金２５及びばね座金２６さらに挿通孔１８に挿通させてナット１６にネジ込んで締結固定し、その取付位置を変更する。
【００２２】
上記したように、この実施の形態によれば、共通ベース１上に第１乃至第３の取付部１２〜１４を配設し、制御盤１０を第１乃至第３の取付部１２〜１４の何れか一つに選択的に取り付けることができるため、現場の状況によって制御盤１０の位置変更を余儀なくされた場合には、制御盤１０を他の取付部に取り付けてその取付位置を変更することができる。
【００２３】
従って、従来のように、製品のバリエーションを複数用意することなく、現場状況に対応することができ、多くの在庫品を抱えるという問題を解消できる。
【００２４】
また、制御盤１０を取り付けるベースの種類も一種類だけでよく、部品点数も削減できる。
【００２５】
さらに、追加部品を必要とすることなく、制御盤１０の位置を変更できるため、コストを低減することができる。
【００２６】
また、現場の状況をその都度、確認してから出荷する必要もなく、手間を省くことができるという利点がある。
【００２７】
なお、上記した実施の形態では、共通ベース１にナット１６を溶接して、このナット１６にボルト２０をネジ込んで制御盤１０の架台１７を固定したが、これに限られることなく、図８に示すように、共通ベース１にバーリングによって直接、ネジ部２２を形成し、このネジ部２２にボルト２０をネジ込んで制御盤１０の架台１７を固定するようにしてもよい。
【００２８】
また、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２９】
【図１】本発明の一実施の形態である給水装置を示す平面図。
【図２】図１の給水装置を示す正面図。
【図３】図１の給水装置を示す側面図。
【図４】図１の給水装置の制御回路図。
【図５】図１の制御盤及びその架台を示す正面図。
【図６】図１の制御盤及びその架台を示す側面図。
【図７】図１の制御盤の取付構造を示す図。
【図８】図１の制御盤の他の取付構造を示す図。
【符号の説明】
【００３０】
１…共通ベース、２…給水ポンプ、５…吐出管、６…吐出ユニット部（合流部）、７…流量検出部、８…圧力検出部、１０…制御盤（制御手段）、１２〜１４…第１乃至第３の取付部、１５…座部、１６…ナット、１７…架台、１８…ボルト（固定具）、２２…ネジ部。
【図１】
2010163928.tif 000003
【図２】
2010163928.tif 000004
【図３】
2010163928.tif 000005
【図４】
2010163928.tif 000006
【図５】
2010163928.tif 000007
【図６】
2010163928.tif 000008
【図７】
2010163928.tif 000009
【図８】
2010163928.tif 000010